(57)【特許請求の範囲】
【請求項１】
圧縮オーディオデータが記録された記録媒体の再生を行うためのオーディオ再生機器であって、
前記記録媒体中から、再生すべき圧縮オーディオファイルの一覧が書き込まれた少なくとも１つの再生リストファイルを検索する検索手段と、
前記記録媒体に含まれる圧縮オーディオファイルのファイル情報と、前記検索手段により検索された再生リストファイルに基づいて得られる再生順序情報とを対応づけて記憶する記憶手段と、
検索された再生リストファイルのうちの１つに基づく再生を行う場合に、前記記憶手段に記憶されたファイル情報と再生順序情報とを用いて再生を行う再生手段と、
検索された前記再生リストファイルと操作ボタンとを対応付ける制御手段と、を備え、
前記再生手段は、前記記憶手段に記憶された情報を用いて、ユーザによって操作された操作ボタンに対応する再生リストファイルについて再生を行うことを特徴とする圧縮オーディオ再生機器。
【請求項２】
検索された再生リストファイルが複数ある場合には、前記記憶手段には、前記圧縮オーディファイルのそれぞれのファイル情報に対して、前記再生リストファイル毎の再生順序情報が複数対応づけられて記憶されること、を特徴とする請求項１に記載の圧縮オーディオ再生機器。
【請求項３】
検索された再生リストファイルが複数ある場合には、前記制御手段は、複数の操作ボタンに前記複数の再生リストファイルをそれぞれ対応付けること、を特徴とする請求項２に記載の圧縮オーディオ再生機器。
【請求項４】
ラジオ放送を受信して再生するためのラジオ受信手段をさらに備え、
前記操作ボタンは、ラジオ受信時には選局のために使用されるよう構成されること、を特徴とする請求項２または請求項３に記載の圧縮オーディオ再生機器。
【請求項５】
検索された前記再生リストファイルの数が、前記操作ボタンの数よりも多い場合には、前記操作ボタンには、検索された再生リストファイルのうち時刻情報の新しいものが優先して対応づけられること、を特徴とする請求項２から請求項４のいずれかに記載の圧縮オーディオ再生機器。
【請求項６】
前記操作ボタンが操作された場合に、操作された前記操作ボタンに対応する再生リストファイルのファイル名を表示する表示制御手段をさらに備えること、を特徴とする請求項２から請求項５のいずれかに記載の圧縮オーディオ再生機器。
【請求項７】
前記再生手段は、再生の開始を指示する所定のボタンが操作された場合に再生を開始するように構成されていること、を特徴とする請求項２から請求項６のいずれかに記載の圧縮オーディオ再生機器。
【発明の詳細な説明】
【０００１】
【発明の属する技術分野】
本発明は、圧縮オーディオファイルを再生するための機器に関し、詳細には再生リストに基づく圧縮オーディオデータの再生に関する。
【０００２】
【従来の技術】
近年、オーディオＣＤ（ＣＤ−ＤＡ形式）並みの音質を維持しながらデータ量を圧縮することのできる音声圧縮方式が提案され、これらの方式による圧縮オーディオファイルが記録された記録媒体を再生するための再生機器も提供されつつある。このような圧縮方式としては、MPEG Audio Layer-3等が知られている。MPEG Audio Layer-3により圧縮されたデータファイルは、ｍｐ３ファイルと呼ばれ、通常はファイルの拡張子として“ｍｐ３”が使用されている。また、このような圧縮オーディオファイルを記録しておく媒体としては、ＣＤ−ＲＯＭ、ＣＤ−Ｒ、ＣＤ−ＲＷ、ＤＶＤ、ハードディスク、メモリカード、フラッシュＲＯＭ等様々な記録媒体を利用できる。
【０００３】
再生リストファイルは、主にパーソナルコンピュータ（以下、ＰＣと記す）上の音声等に関する再生ソフトウェアの機能によっ作成されたファイルであり、ユーザの好みなどによって、例えば、記録媒体中の特定のジャンル、歌手等のデータファイルを再生順にリストアップしたものである。つまり、再生リストは、再生すべき圧縮オーディオファイルの一覧である。再生リストファイルには、所定の拡張子（“ｍ３ｕ”，“ａｓｘ”など）が付けられる。再生リストファイルに基づく再生を行うことによって、記録媒体中の膨大な量の圧縮データファイルの中から、特定のジャンル等のデータファイルのみを再生させることができる。
【０００４】
【発明が解決しようとする課題】
このような再生リストファイルを、圧縮オーディオファイルと共にＣＤ−ＲＯＭ等に収めることによって、再生機器は、再生リストに基づく再生を行うことが可能である。一般的には、再生リストに基づく再生を行うためには、ＣＤ−ＲＯＭ中のデータファイルの位置情報（トラック番号等）のみでなく、再生リストファイルを読み込んで記憶することが必要であるし、また、再生リストが複数ある場合には、これら再生リスト全てを読み込んで記憶し、表示画面へのファイル表示、およびキーボードのカーソルキー操作等を通じて、複数の再生リストから１つをユーザに選択させるための処理が必要である。
【０００５】
このような処理は、表示画面の解像度やサイズ、メモリの容量等が十分なＰＣ上では実現可能であるが、表示画面サイズ、メモリ容量、ＣＰＵの処理速度等が限られた、カーオーディオやポータブル機器等の小型の再生機器で実現することは困難である。
【０００６】
本発明はこのような事情に鑑みてなされたものである。すなわち、本発明は、小型の再生機器でも再生リストに基づく再生を可能とし、さらには、再生リストに基づく再生をユーザにとって簡単な操作で実現できる圧縮オーディオ再生機器を提供することを目的とする。
【０００７】
【課題を解決するための手段】
上記目的を達成するため、オーディオ再生機器に、まず、記録媒体中から、少なくとも１つの再生リストファイルを検索する検索手段を付加しておく。
【０００８】
そして、記録媒体に含まれる圧縮オーディオファイルのファイル情報と、検索手段により検索された再生リストファイルに基づいて得られる再生順序情報とを対応づけて記憶しておく。
【０００９】
上記のように記憶することで、再生リストファイルそのものを記憶する必要がなくなり、再生リストに基づく再生を行うのに必要な記憶情報量を削減できる。検索された再生リストファイルのうちの１つに基づく再生を行う場合には、再生手段は、記憶手段に記憶されたファイル情報と再生順序情報とを用いて再生を行えば良いことになる。また更に、検索された再生リストファイルと操作ボタンとを対応付ける制御手段を付加することによって、再生手段を、記憶手段に記憶された情報を用い、ユーザによって操作された操作ボタンに対応する再生リストファイルについて再生を行うように構成する。ユーザは、操作ボタンを操作するという簡単な操作で、所望の再生リストファイルを選択し再生させることができる。
【００１０】
複数の再生リストファイルが検索された場合には、圧縮オーディファイルのそれぞれのファイル情報に対して、再生リストファイル毎の再生順序情報が複数対応づけられて記憶されるようにすることによって、複数の再生リストへの対応も可能になる。
【００１１】
なお、検索された再生リストファイルが複数ある場合には、制御手段は、複数の操作ボタンに複数の再生リストファイルがそれぞれ対応付けられるようにする。
【００１２】
この場合、ユーザは、複数の操作ボタンのうち１つを選択して操作することによって、所望の再生リストファイルに基づく再生を行うことができる。
【００１３】
オーディオ再生機器にラジオ放送を受信して再生するためのラジオ受信手段をさらに付加することによって、オーディオ再生機器を、ラジオ再生と記録媒体再生の兼用機器とする。この場合、再生リストを選択するための操作ボタンを、ラジオ受信時には選局のために使用される操作ボタンと兼用にすることができる。
【００１４】
検索された再生リストファイルの数が、操作ボタンの数よりも多い場合も有り得る。
【００１５】
この場合、操作ボタンには、検索された再生リストファイルのうち時刻情報の新しいものが優先して対応付けられるようにすることもできる。
【００１６】
オーディオ再生機器に、操作ボタンが操作された場合に、操作された操作ボタンに対応する再生リストファイルのファイル名を表示する表示制御手段をさらに付加することによって、ユーザは、操作ボタンによって選択した再生リスト名を認識することができる。
【００１７】
なお、表示は、視覚的な表示であっても良いし、音声の表示であっても良い。
【００１８】
再生手段が、再生の開始を指示する所定のボタンが操作された場合に再生を開始するように構成するのが好ましい構成となる。
【００１９】
【発明の実施の形態】
図１は、本発明の実施形態としての、圧縮オーディオ再生機器１００の構成を表す図である。圧縮オーディオ再生機器１００は、記録媒体からデータを読み出し、オーディオＣＤを再生する機能と、ＭＰ３のような圧縮オーディオデータを再生する機能とを兼ね備えた兼用プレーヤとして構成されており、また、ラジオ受信機能をも併せ持っている。最終的に作成されたアナログオーディオ信号は、アンプ８１を介してスピーカ８２に供給され音声が再生される。なお、圧縮オーディオ再生機器１００は、いわゆる１ＤＩＮまたは２ＤＩＮサイズの車載用機器として構成される。
【００２０】
図１を参照し圧縮オーディオ再生機器１００の構成について説明する。圧縮オーディオ再生機器１００は、ＣＤ媒体１（以下、ディスク１と記す）が装着される機構ユニット２を備えている。この機構ユニット２には、ディスク回転用のスピンドルモータ３、ピックアップ４が設けられると共に、詳細には図示していないが、ディスクの有無および定位置の検知機構、ディスクの装着完了の検知機構、ディスクのローディング機構、ピックアップの最内周位置の検知機構、ピックアップ移動用のスピンドルモータ等の機構が設けられている。また、ピックアップ４は、フォーカスコイル、トラッキングコイル、レーザダイオード、光検出器等の構成要素を備えている。スピンドルモータ３、ピックアップ４等の駆動制御およびサーボコントロールが、ＣＤ用信号処理部２０のサーボ制御部２２および機構系制御部５０による制御の下で行われる。
【００２１】
機構系制御部５０には、ドライバ５、ＣＤ用信号処理部２０、デジタル信号処理部３０、およびフラッシュＲＯＭ５５が続され、例えばマイクロコンピュータＩＣからなる機構系制御部５０はれらの制御を司る。また、機構系制御部５０は、各ディスクのリードインに記録されたＴＯＣ（Table Of Contents）をＣＤ用信号処理部２０から取得し、オーディオＣＤか、ＭＰ３圧縮オーディオファイルが記録されたＣＤ−ＲＯＭかを判定することができるように構成されている。
【００２２】
ピックアップ４では、ＥＦＭ（Eight-to-Fourteen Modulation）変調が施されたＲＦ信号、トラッキング信号、およびフォーカス信号が得られ、これらの信号は、増幅回路であるＲＦアンプ１０を介してＣＤ用信号処理部２０に供給される。トラッキング信号およびフォーカス信号は、ピックアップ４のトラッキングコイル、フォーカスコイルを制御するために用いられる。ＲＦ信号は、オーディオＣＤ（ＣＤ−ＤＡ）のデータかＭＰ３の圧縮データかを判別された後に、オーディオ信号に変換される。なお、ＣＤ用信号処理部２０では、オーディオ信号の再生に必要な各種の基準クロックが生成され、これらの基準クロックが、適宜必要な部分に供給されている。
【００２３】
ＥＦＭデコーダ２１は、ＣＤオーディオデータ（ＣＤ＿ＤＡデータ）をデコードし、それをＬ／Ｒクロック、ビットクロック、シリアルデータの３信号からなるデジタル化されたオーディオ信号に変換する。なお、Ｌ／Ｒクロックは、シリアルデータとして転送される音声サンプリングデータがＬチャネルかＲチャネルかを示すものであり、ＬチャネルデータとＲチャネルデータの時分割周期に対応する周波数を有する。ビットクロックはシリアルデータとして転送される各サンプリングデータの同期クロックである。また、ＥＦＭデコーダ２１は、圧縮オーディオデータを、Ｌ／Ｒクロック、ビットクロックと共にデジタル信号処理部３０に供給する。すなわち、デジタル信号処理部３０に対しては、装着されたディスクがオーディオＣＤの場合には、ＣＤオーディオデータが供給され、装着されたディスクが圧縮オーディデータが記録されたＣＤ−ＲＯＭの場合には、圧縮オーディオデータが供給される。
【００２４】
デジタル信号処理部３０に供給されるデータがＣＤオーディオデータの場合には、バッファメモリであるＲＡＭ４０を利用することによって、いわゆる音跳び防止機能が実行される。この音跳び防止機能は、ＣＤ−ＤＡ音跳び防止部３１による制御の下で、オーディオデータを所定量だけバッファメモリであるＲＡＭ４０に格納し、ＲＡＭ４０からオーディオデータを順次読み出しながら再生を行うようにし、エラー部分については再生中に再度読み出しを行うことによって実現される。デジタル信号処理部３０からのオーディオデータは、Ｄ／Ａコンバータ２３に供給され、ここでアナログオーディオ信号に変換される。
【００２５】
一方、デジタル信号処理部３０に供給されるデータが圧縮オーディオデータである場合には、圧縮データは一旦ＲＡＭ４０に格納された後順次読み出され、ＭＰ３デコーダ３２によって伸長処理される。ここで伸長されたオーディオデータは、Ｄ／Ａコンバータ２３によってアナログオーディオ信号に変換される。このようなデジタル信号処理部３０の機能の切り替えは、機構系制御部５０による制御の下で行われる。なお、フラッシュＲＯＭ５５には、機構系制御部５０が所定の再生機能を達成する上で必要な各種のデータが格納される。
【００２６】
ホスト側制御部６０には、ラジオ受信ユニット７０、操作部６３、および表示部６５が接続されており、ホスト側制御部６０は、これらの部分の制御を司る。ホスト側制御部６０は、例えばマイクロコンピュータＩＣで構成され、操作部６３からの操作入力に応じてラジオ受信機とＣＤ再生器の機能を切り替えること、操作部６３の操作キーに様々な機能を割り当てること、表示部６５に所定の情報を表示すること等の機能を担う。
【００２７】
図２に、圧縮オーディオ再生機器１００の前面パネルの構成図を示す。図のように前面パネルには、フラット表示パネルからなる表示部６５や、各種の操作ボタンが設けられている。圧縮オーディオ再生機器１００が、ラジオ受信機として動作する場合には、操作ボタン８１−８５はそれぞれ所定のチャンネルに割り当てられ、ホスト側制御部６０は、操作された操作ボタンに対応するチャンネルの放送が選択されるようにラジオ受信ユニット７０を制御する。
【００２８】
ホスト側制御部６０と機構系制御部５０は互いに接続され、適宜、データ或いは制御情報の受け渡しを行い、圧縮オーディオ再生機器１００が所定の機能を達成するように連携して動作する。
【００２９】
次に、図３のフローチャートを参照し、圧縮オーディオ再生機器１００の動作を説明する。図３は、圧縮オーディオ再生機器１００において、ディスク１が装着されてから、再生リストに基づく再生が行われるまでの一連の処理を示している。すなわち、ディスク１が装着されると、ディスクのリードインに記録された管理情報としてのＴＯＣ情報の読み込みが行われる（Ｓ１）。このＴＯＣ情報にしたがって、装着されたディスクがオーディオＣＤ（ＣＤ＿ＤＡ）であるかＣＤ−ＲＯＭかが判定される（Ｓ２）。
【００３０】
オーディオＣＤの場合には、データの先頭から順にデータを読み込んで音跳び防止の処理を行いつつ再生を行う、通常の再生処理が行われる。よって、オーディオＣＤの場合の動作については特に図示していない。ＣＤ−ＲＯＭである場合には、機構系制御部５０におよって、ファイル構造の分析が行われる（Ｓ３）。ファイル構造の分析とは、ＩＳＯ９６６０のファイルシステムで構成されているディレクトリー構造を分析することを表している。この分析によって、ディスク内にどのようなファイルが存在するかを知ることができる。得られたファイル情報は、フラッシュＲＯＭ５５内に格納される。
【００３１】
次に、ディスク中に再生リストファイルであることを表す所定の拡張子を持つファイルがあるかどうかを確認し、所定の拡張子のファイルがある場合には、再生リストがあると判定する（Ｓ４）。なお、再生リストが存在しない場合には、データの先頭から順に圧縮オーディオデータの再生を行うこととしても良い。次に、ステップＳ４で得られた再生リスト中にリストアップされているファイルが、ファイル構造の分析（Ｓ３）によって分かったファイル中に存在するかどうかを検索して調べる（Ｓ５）。つまり、ディスク中に再生可能なファイルが存在しているかを確かめる。ここで、ディスク中に再生可能なファイルがないと判断された場合には、表示部６５にエラー表示がなされるようにしても良い。
【００３２】
再生可能なファイルが存在する場合には、ファイル構造の分析（Ｓ３）の結果を用いて、ディスク内部の再生できファイルのファイル名、位置をフラッシュＲＯＭ５５に格納する（Ｓ６）。ここで、格納されるこれらの情報を以下、「ファイルの格納情報」と記す。「ファイルの格納情報」は、この段階では、下記表１のような、ファイル名とトラック番号の情報の一覧である。
【００３３】
【表１】
0003813528.tif 000002
【００３４】
次に、再生リストが存在すると判定されている場合には、再生リスト中のファイルを、「ファイルの格納情報」から検索する（Ｓ７）。検索した結果、再生リスト中のファイルが存在すれば、そのファイルに対して、再生順序の情報を付加する（Ｓ８）。再生リストは、例えば下記のように、再生すべき圧縮オーディオファイルのファイル名が、再生順に並べられた構造になっている。
（再生リストの例）
Ｄ：￥ｍｐ３￥０２−Ｒｏｃｋ．ｗｍａ
Ｄ：￥ｍｐ３￥０４−ｊａｚｚ．ｗｍａ
Ｄ：￥ｍｐ３￥０６−ｂｅｅｔ．ｗｍａ
ここで、“Ｄ：￥ｍｐ３￥”は、再生リストの作成時に付加されたディレクトリ名である。したがってステップＳ８では、再生リストの先頭のファイルから順に「ファイルの格納情報」との比較を行い、「ファイルの格納情報」中の見つかったファイルに、それが再生リスト中の何番目であるかの順序情報を付加する。再生リストが複数存在する場合には、それぞれの再生リストについて順序情報の付加のための処理（Ｓ７、Ｓ８）を行う。
【００３５】
具体的な例として、ステップＳ４において４つの再生リスト、ｐｌａｙｌｉｓｔ１．Ｍ３Ｕ、ｐｌａｙｌｉｓｔ２．Ｍ３Ｕ、ｐｌａｙｌｉｓｔ３．Ｍ３Ｕ、ｐｌａｙｌｉｓｔ４．Ｍ３Ｕが見つかり、それぞれの内容が以下のようなものであったとする。
（ｐｌａｙｌｉｓｔ１の内容）
Ｄ：￥ｍｐ３￥０２−Ｒｏｃｋ．ｗｍａ
Ｄ：￥ｍｐ３￥０４−ｊａｚｚ．ｗｍａ
Ｄ：￥ｍｐ３￥０６−ｂｅｅｔ．ｗｍａ
（ｐｌａｙｌｉｓｔ２の内容）
Ｄ：￥ｍｐ３￥０１ａｕｄｉｏ．ｍｐ３
Ｄ：￥ｍｐ３￥０３−ｔｅｓｔ．ｍｐ３
Ｄ：￥ｍｐ３￥０２−Ｒｏｃｋ．ｗｍａ
Ｄ：￥ｍｐ３￥０５−ｒｏｃｋ．ｍｐ３
Ｄ：￥ｍｐ３￥０４−ｊａｚｚ．ｗｍａ
Ｄ：￥ｍｐ３￥０６−ｂｅｅｔ．ｗｍａ
（ｐｌａｙｌｉｓｔ３の内容）
Ｄ：￥ｍｐ３￥０３−ｔｅｓｔ．ｍｐ３
Ｄ：￥ｍｐ３￥０４−ｊａｚｚ．ｗｍａ
Ｄ：￥ｍｐ３￥０５−ｒｏｃｋ．ｍｐ３
（ｐｌａｙｌｉｓｔ４の内容）
Ｄ：￥ｍｐ３￥０１ａｕｄｉｏ．ｍｐ３
Ｄ：￥ｍｐ３￥０２−Ｒｏｃｋ．ｗｍａ
Ｄ：￥ｍｐ３￥０３−ｔｅｓｔ．ｍｐ３
【００３６】
それぞれの再生リスト（ｐｌａｙｌｉｓｔ１−４）について、ファイルの先頭から「ファイルの格納情報」の検索して順序情報を付加する処理（Ｓ７，Ｓ８）を行うことによって、「ファイルの格納情報」には下記表２のように順序情報が付加される。例えば、ｐｌａｙｌｉｓｔ１には、０２−Ｒｏｃｋ．ｗｍａ、０４−ｊａｚｚ．ｗｍａ、０６−ｂｅｅｔ．ｗｍａの３つのファイルをこの順番で再生すべきことが記述されているので、「ファイルの格納情報」には、これらのファイルに対応付けて順序情報が格納される。ｐｌａｙｌｉｓｔ１中に記述されていないファイルは再生しないので、順序情報として０を書き込み、それによって再生が行われないようにしている。
【００３７】
【表２】
0003813528.tif 000003
【００３８】
以上のように再生リストの順序情報の格納が行われると、次にステップＳ９では、ホスト側制御部６０によって、操作部６３の各操作ボタンと再生リストとの対応付けが行われる。つまり、各再生リストが各操作ボタンへ割り当てられる。ここでは一例として、操作ボタン８１−８４に、ｐｌａｙｌｉｓｔ１−４がそれぞれ割り当てられものとする。なお、検索された再生リストファイルの数が、操作ボタンの数よりも多い場合は、検索された再生リストファイルのうちタイムスタンプ等の時刻情報の新しいものが優先して操作ボタンに対応付けられるようにすることもできる。
【００３９】
ユーザが操作ボタン８１−８４のいずれかを操作すると（Ｓ１０）、ホスト側制御部６０は、操作された操作ボタンに対応する再生リストのファイル名を表示部６５に表示する（Ｓ１１）。操作に関する情報がホスト側制御部６０から機構系制御部５０へ渡され、機構系制御部５０は、再生すべき再生リストについての順序情報にしたがって再生を行う（Ｓ１２）。なお、全ての再生が終了した後は、図のように、メインルーチン等の他の処理にリターンする。
【００４０】
以上説明した図３のディスク再生処理によって、再生リストに基づく再生が車載機器である圧縮オーディオ再生機器１００において実現される。ディスクの挿入と共にディスクが分析されて、再生リストが操作ボタンに割り付けられるので、ユーザは簡単な操作で再生リストによる再生を行わせることができる。再生リストに基づく再生を行うために、再生リストを全て取り込んで記憶するのではなく、上記表２に示したように順序情報のみをファイルに対応付けて記憶するようになっている。ファイル名を格納するのに必要な情報量の典型的な例は１２８バイト程度なので、それと比較すれば、１つのファイルについて順序情報として必要な情報量は、高々１バイトから２バイト程度で良い。したがって、再生リストに基づく再生を行うために必要な記憶容量が低減される。このことは、機構系制御部５０等の外付けメモリとして用いるフラッシュＲＯＭ５５の容量を低減できることや、機構系制御部５０等としてマイクロコンピュータＩＣのような集積回路を用いた場合にも、比較的容量の少ない内蔵メモリに再生リストに基づく再生を行うために必要な情報を格納できるようになることを意味している。
【００４１】
また、ユーザは、再生リストを選択するために、操作ボタン８１−８５のようないわゆるプリセットキーを押すのみで良いため、再生リストに基づく再生を行うために必要な操作はユーザにとって極めて簡単である。
【００４２】
なお、図３で示したディスク再生処理は、ステップＳ５とＳ６の処理を同時に行う等、適宜変形しても同様の機能を達成することができる。
【００４３】
次に、図３で示したディスク再生処理（すなわち再生リストに基づく再生を行う場合）の別の例を図４を参照して説明する。図３の処理がディスクの挿入と共に再生リストが分析されるものであるのに対し、図４の処理では、ディスクが挿入された後、操作部６３の再生リスト導入キー８９（図２）が操作された際に再生リストの分析が開始される。すなわち、ディスクが挿入されると（Ｓ３１）、ＴＯＣ情報の読み込みが行われ（Ｓ３２）、挿入されたディスクがＣＤ−ＲＯＭである場合には、ファイル構造の分析が行われる（Ｓ３３）。
【００４４】
次に、再生リストであることを示す所定の拡張子のファイルが見つかったかどうかが判定される。再生リストが見つかれば（Ｓ３４：ＹＥＳ）、操作ボタンへ再生リストの割り当てを行っておく（Ｓ３５）。なお、再生リストが見つからない場合には（Ｓ３４：ＮＯ）、再生リストによる再生には未対応であるとし、圧縮データを先頭から順に再生するなど、通常処理を行っても良い（Ｓ４７）。操作ボタンへの割り当てが行われた後、ステップＳ３６では、再生リスト導入キー８９が押されているかを判定し、さらにステップＳ３７では、再生リスト選択のための操作ボタンが押されたかを判定する。再生リスト導入キー８９が押されており、且つ、選択のための操作ボタンが押されている場合には（Ｓ３７：ＹＥＳ）、再生リスト分析のための処理が開始される。なお、例えば所定時間を経過しても、再生リスト導入キーや、選択のための操作ボタンが押されない場合等には（Ｓ３６：ＮＯまたはＳ３７：ＮＯ）、圧縮データを先頭から順に再生を行うなど、通常処理を行うこととしても良い（Ｓ４８）。
【００４５】
再生リストの分析を開始すべき場合は（Ｓ３７：ＹＥＳ）、操作ボタンの操作によって選択された再生リストのファイル名を表示部６５に表示し（Ｓ３８）、次に、ステップＳ３９からＳ４４に至る一連の再生リスト分析に関する処理によって、選択されている再生リストについて、図４の対応の処理（Ｓ５〜Ｓ８）と同等の処理が行われ、選択された再生リストについて、順序情報が付加された状態の「ファイルの格納情報」が作成される。
【００４６】
すなわち、ステップＳ３９では、選択されている再生リスト中の先頭のファイルが、ファイル構造の分析で分かったディスク中のファイルと一致するかの検索が行われる。このとき、まずは、再生リスト中のディレクトリ名＋ファイル名で一致するかどうかの検索を行うこととする（Ｓ４０）。ディレクトリ名＋ファイル名で一致しない場合は（Ｓ４１：ＮＯ）、再生リスト中のファイル名のみ用いて再び検索を行う（Ｓ４３）。いずれかの検索で一致するものが見つかれば（Ｓ４１：ＹＥＳまたはＳ４３：ＹＥＳ）、そのファイルについては順序情報を付加して、「ファイルの格納情報」としてフラッシュＲＯＭ５５に格納しておく（Ｓ４２）。
【００４７】
一方、ディスク構造中に一致するものが見つからない場合には（Ｓ４３：ＮＯ）、再生リスト中の次のファイルの検索に移るべく（Ｓ４４）、再生リスト中のすべてのファイルを検索したかどうかを確認した後（Ｓ４５）、ステップＳ４０からの処理に戻る。選択された再生リストすべての検索が終了すると（Ｓ４５：ＹＥＳ）、「ファイルの格納情報」を利用してのファイル再生が実行される（Ｓ４６）。なお、全ての再生が終了した後は、図のように、メインルーチン等の他の処理にリターンする。
【００４８】
以上説明したように図４のディスク再生処理は、再生リスト導入キー８９の押下によって、再生リストが導入される構成（つまり「ファイルの格納情報」が作成される構成）を実現する。
【００４９】
なお、以上で説明した図３または図４のディスク再生処理について様々な変形例を考えることができる。例えば、図３のステップＳ５からＳ８に至る一連の再生リストの導入処理（再生リストに基づいて「ファイルの格納情報」をフラッシュＲＯＭ５５に格納する処理）は、図３の場合のようにディスクの挿入時に行う例に限らず、例えば、ＲＡＭ４０に格納されたデータによる再生が行われている間など、機構系制御部５０が動作できる様々なタイミングで自動的に行う構成とすることも可能である。また、操作部６３を介して所定の操作が行われた場合に、割り込み処理として再生リストの導入処理が開始される構成も可能である。
【００５０】
図１または図２で示した圧縮オーディオ再生機器１００の構成についての様々な変形例も考えることができる。例えば、機構系制御部５０とホスト側制御部６０の機能を１つのマイクロコンピュータＩＣに統合することもできる。「ファイルの格納情報」は、フラッシュＲＯＭ５５に格納する構成の場合の他、機構系制御部５０を構成するマイクロコンピュータＩＣの内蔵メモリに格納することとしても良い。
【００５１】
操作部６３は、図２で示したように前面パネル上に設ける構成以外にも、キーパッドのような別個の装置として構成することもできる。
【００５２】
また、「ファイルの格納情報」の格納の構成についての変形例も有り得る。例えば、表２のような「ファイルの格納情報」の格納の構成に代えて、再生ファイル毎にＲＡＭ（或いはフラッシュＲＯＭ５５）上の領域を割り当て、ＲＡＭ上に再生ファイル毎に、再生すべきファイル名を再生順に並べておく構成としても良い。
【００５３】
本発明のオーディオ再生機器は、再生リストとして、ファイル名を絶対的なパス名で表示したもの、相対的なパス名で表示したもの、アーティスト名等の情報が付加されているもの等あらゆる形式の再生リストに対応することが可能であることはいうまでもない。
【００５４】
上述の実施形態は、記録媒体としてオーディオＣＤ、ＣＤ−ＲＯＭ等のディスクを用いるオーディオ再生機器の例であるが、本発明は、読み取りや信号処理のための構成を適宜変更することによって、ＤＶＤ、ハードディスク、メモリカード、フラッシュＲＯＭ等様々な記録媒体を用いる再生機器にも適用することができる。
【００５５】
【発明の効果】
以上説明したように、本発明によれば、再生リストに基づく再生を行うのに必要な情報量を低減できるので、車載機器等の小型の機器において、再生リストに基づく再生をユーザにとって簡単な操作で実現することができる。
【図面の簡単な説明】
【図１】本発明の実施形態としての、オーディオ再生機器の構成を表す図である。
【図２】図１のオーディオ再生機器の前面パネルの構成を示す図である。
【図３】図１のオーディオ再生機器におけるディスク再生処理を表すフローチャートである。
【図４】図１のオーディオ再生機器におけるディスク再生処理であって、図３とは異なる例を表すフローチャートである。
【符号の説明】
２  機構ユニット
１０  ＲＦアンプ
２０  ＣＤ用信号処理部
３０  デジタル信号処理部
４０  ＲＡＭ
５０  機構系制御部
５５  フラッシュＲＯＭ
６０  ホスト側制御部
６３  操作部
６５  表示部
１００  オーディオ再生機器
【図１】
0003813528.tif 000004
【図２】
0003813528.tif 000005
【図３】
0003813528.tif 000006
【図４】
0003813528.tif 000007